(57)【特許請求の範囲】
【請求項１】
所定のコンテンツを伝送する情報伝送方法において、
上記コンテンツ内にコピーを許可する部分とコピーを禁止する部分とが混在することを表す混在情報を上記コンテンツと共に伝送する
ことを特徴とする情報伝送方法。
【請求項２】
上記情報伝送方法では、
上記混在情報は上記コンテンツに電子透かし情報として埋め込まれて伝送される
ことを特徴とする請求項１に記載の情報伝送方法。
【請求項３】
上記情報伝送方法では、
上記混在情報は上記コンテンツとは別の付加情報として伝送される
ことを特徴とする請求項１に記載の情報伝送方法。
【請求項４】
上記情報伝送方法では、
上記コピーを許可する部分の位置を表す情報が上記コンテンツと共に伝送される
ことを特徴とする請求項１に記載の情報伝送方法。
【請求項５】
上記情報伝送方法では、
上記コピーを許可する部分の位置を表す情報が、上記コンテンツに電子透かし情報とし埋め込まれて伝送される
ことを特徴とする請求項４に記載の情報伝送方法。
【請求項６】
上記情報伝送方法では、
上記コピーを許可する部分の位置を表す情報が、上記コンテンツとは別の付加情報として伝送される
ことを特徴とする請求項４に記載の情報伝送方法。
【請求項７】
所定のコンテンツを伝送する情報伝送装置において、
上記コンテンツ内にコピーを許可する部分とコピーを禁止する部分とが混在することを表す混在情報を上記コンテンツと共に伝送する混在情報伝送手段を具える
ことを特徴とする情報伝送装置。
【請求項８】
上記混在情報伝送手段は、
上記混在情報を上記コンテンツに電子透かし情報として埋め込む
ことを特徴とする請求項７に記載の情報伝送装置。
【請求項９】
上記混在情報伝送手段は、
上記混在情報を上記コンテンツとは別の付加情報として伝送する
ことを特徴とする請求項７に記載の情報伝送装置。
【請求項１０】
上記情報伝送装置は、
上記コピーを許可する部分の位置を表す情報を上記コンテンツと共に伝送するコピー許可位置情報伝送手段を具える
ことを特徴とする請求項７に記載の情報伝送装置。
【請求項１１】
コピー許可位置情報伝送手段は、
上記コピーを許可する部分の位置を表す情報を、上記コンテンツに電子透かし情報とし埋め込む
ことを特徴とする請求項１０に記載の情報伝送装置。
【請求項１２】
上記コピー許可位置情報伝送手段は、
上記コピーを許可する部分の位置を表す情報を、上記コンテンツとは別の付加情報として伝送する
ことを特徴とする請求項１０に記載の情報伝送装置。
【請求項１３】
所定のコンテンツと共に入力した上記コンテンツ内にコピーを許可する部分とコピーを禁止する部分とが混在することを表す混在情報を検出するステップと、
上記検出された混在情報に基づいて上記コンテンツの記録媒体へのコピーを制御するステップと
を具えることを特徴とする情報記録方法。
【請求項１４】
上記コピーを制御するステップでは、
上記混在情報が検出されたとき上記コンテンツと共に入力されたコピー制御情報に従って上記コンテンツのコピーが制御される
ことを特徴とする請求項１３に記載の情報記録方法。
【請求項１５】
上記コピーを制御するステップでは、
上記混在情報が検出されたとき上記コンテンツと共に入力される上記コンテンツのコピーを許可する部分又はコピーを禁止する部分を表す情報ごとに対応して上記コンテンツの部分的な上記記録媒体への記録が行われる
ことを特徴とする請求項１３に記載の情報記録方法。
【請求項１６】
所定のコンテンツと共に入力した上記コンテンツ内にコピーを許可する部分とコピーを禁止する部分とが混在することを表す混在情報を検出する混在情報検出手段と、
上記検出された混在情報に基づいて上記コンテンツの記録媒体へのコピーを制御するコピー制御手段と、
を具えることを特徴とする情報記録装置。
【請求項１７】
上記コピー制御手段は、
上記混在情報が検出されたとき上記コンテンツと共に入力されたコピー制御情報に従って上記コンテンツのコピーを制御する
ことを特徴とする請求項１６に記載の情報記録装置。
【請求項１８】
上記コピー制御手段は、
上記混在情報が検出されたとき上記コンテンツと共に入力される上記コンテンツのコピーを許可する部分又はコピーを禁止する部分を表す情報ごとに対応して上記コンテンツの部分的な上記記録媒体への記録を行う
ことを特徴とする請求項１６に記載の情報記録装置。
【発明の詳細な説明】
【０００１】
【発明の属する技術分野】
本発明は情報伝送方法、情報記録方法及びそれらの装置に関し、例えば音楽データ等の著作権を保護する情報伝送方法、情報記録方法及びそれらの装置に適用して好適なものである。
【０００２】
【従来の技術】
従来、ウェブサイトからインターネット等のネットワークを介して不特定多数のネットワーク端末装置（コンピュータ等）に音楽等のコンテンツを配信するシステムが考えられている。
【０００３】
コンピュータのユーザは配信された音楽コンテンツをディジタルデータの状態で種々の記録媒体に記録することにより、好みの音楽を高音質で記録した音楽ソースをユーザの意のままに作成することができる。
【０００４】
【発明が解決しようとする課題】
このように、ユーザはコンピュータ等の端末装置を介してウェブサイトにアクセスするだけで、自由に音楽等のコンテンツを記録媒体に記録することができることにより、コンテンツの著作権が侵害される問題があった。
【０００５】
本発明は以上の点を考慮してなされたもので、例えばネットワークを介して不特定多数の端末装置に配信されたコンテンツについての著作権侵害行為を有効に抑制し得る情報伝送方法、情報記録方法及びそれらの装置を提案しようとするものである。
【０００６】
【課題を解決するための手段】
かかる課題を解決するため本発明においては、所定のコンテンツを伝送する際に、コンテンツ内にコンテンツのコピーを許可する部分とコピーを禁止する部分とが混在する混在情報をコンテンツと共に伝送するようにしたことにより、当該混在情報に基づいたコンテンツのコピー制御を、コンテンツを受け取った記録装置側で行うことができる。
【０００７】
【発明の実施の形態】
以下図面について、本発明の一実施の形態を詳述する。
【０００８】
図１において３０は全体として音楽配信システムを示し、ウェブサイト２のコンピュータ６と、ユーザが使用する不特定多数のコンピュータ７n がネットワーク１を介して接続されている。ここでは、不特定多数のコンピュータ７n のうち、コンピュータ７1 について説明する。
【０００９】
音楽配信システム３０において、電子透かし情報埋込装置３１は、入力されたオーディオ信号Ｓ５１に対して電子透かし情報Ｓ５２を音響の聴感を損ねないように埋め込んだ後、当該電子透かし情報付きオーディオ信号Ｓ３１をコンパクトディスク（ＣＤ：Compact Disc) ３３に記録する。
【００１０】
この場合、電子透かし情報埋込装置３１は、電子透かし情報Ｓ５２として、オーディオ信号Ｓ５１の可聴レベル以下の音声レベルに埋め込む圧縮に弱い電子透かし情報ＷＭ（Ｆ）と、オーディオ信号Ｓ５１の可聴レベル以上の音声レベルに埋め込む圧縮に強い電子透かし情報ＷＭ（Ｒ）とをオーディオ信号Ｓ５１のそれぞれ割当てられた周波数領域に埋め込む。
【００１１】
電子透かし情報埋込装置３１は、図２に示すように、端子５１を介して入力されるオーディオ信号Ｓ５１をＦＦＴ(Fast Fourier Transformation) 処理回路５３に受ける。ＦＦＴ処理回路５３は、オーディオ信号Ｓ５１を時間領域から周波数領域に変換して周波数スペクトラムＳ５３を生成し、周波数スペクトラムＳ５３を可変フィルタ回路５５に出力する。
【００１２】
また電子透かし情報埋込装置３１は端子５２を介して入力された電子透かし情報Ｓ５２（圧縮に強い電子透かし情報ＷＭ（Ｒ）及び圧縮に弱い電子透かし情報ＷＭ（Ｆ））を乗算回路５４に受ける。乗算回路５４は、電子透かし情報Ｓ５２に微小振幅のＰＮ(Pseudo Noise:疑似ランダム雑音）系列信号Ｓ５７を乗じることで、電子透かし情報Ｓ５２を広い周波数帯域にスペクトラム拡散した微小レベルの振幅の電子透かし情報信号Ｓ５４を生成し、電子透かし情報信号Ｓ５４を可変フィルタ回路５５に出力する。
【００１３】
可変フィルタ回路５５は、周波数スペクトラムＳ５３に応じたフィルタ特性で電子透かし情報信号Ｓ５４をフィルタ処理することにより電子透かし情報信号Ｓ５５を生成し、これを加算回路５６に出力する。
【００１４】
加算回路５６は、端子５１からのオーディオ信号Ｓ５１と可変フィルタ回路５５からの電子透かし情報信号Ｓ５５とを加算することにより、電子透かし情報が埋め込まれた電子透かし情報付きオーディオ信号Ｓ３１を生成する。
【００１５】
加算回路５６は、電子透かし情報付きオーディオ信号Ｓ３１を記録手段（図示せず）に出力することにより、図１に示したコンパクトディスク３３に記録する。
【００１６】
図３は電子透かし情報Ｓ５２のデータ構造を示し、コピー制御情報（ＣＣＩ:Copy Control Infomation) ＤＡ（４ビット）と、使用情報ＩＤ(Usage ID)ＤＢ（８ビット）と、レコード番号情報（ＩＳＲＣ）ＤＣ（６０ビット）とから構成されている。このシステムにおいては、電子透かし情報Ｓ５２のうち、コピー制御情報（ＣＣＩ）ＤＡ及び使用情報ＩＤ(Usage ID)ＤＢが１５秒毎に伝送され、レコード番号情報（ＩＳＲＣ）ＤＣが３０秒毎に伝送される。
【００１７】
コピー制御情報（ＣＣＩ）は、その２つのビットＢ０及びＢ１によって、当該電子透かし情報Ｓ５２が埋め込まれた電子透かし情報付きオーディオ信号Ｓ３１のコピーに関する情報を表すようになされており、第１のビットＢ０及び第２のビットＢ１の両方が「０」である場合には、電子透かし情報付きオーディオ信号Ｓ３１のコピーが可であることを表し、第１のビットＢ０が「１」でありかつ第２のビットＢ１が「０」である場合には、電子透かし情報付きオーディオ信号Ｓ３１のコピーが１回のみ可であることを表し、第１のビットＢ０が「０」でありかつ第２のビットＢ１が「１」である場合には、電子透かし情報付きオーディオ信号Ｓ３１のコピーがこれ以上不可であることを表し、第１のビットＢ０及び第２のビットＢ１の両方が「１」である場合には、電子透かし情報付きオーディオ信号Ｓ３１のコピーが不可であることを表している。
【００１８】
またコピー制御情報（ＣＣＩ）ＤＡの第３のビットＢ２は、ユーザ端末（コンピュータ７n ）において、圧縮に強い電子透かし情報ＷＭ（Ｒ）及び圧縮に弱い電子透かし情報ＷＭ（Ｆ）に基づき圧縮の検出が行われた場合にコンピュータ７n 側でこれら圧縮に強い電子透かし情報ＷＭ（Ｒ）及び圧縮に弱い電子透かし情報ＷＭ（Ｆ）に基づくコピー制御を行うようにアップグレードするためのフラグである。
【００１９】
またコピー制御情報（ＣＣＩ）ＤＡの第４のビットＢ３は、ユーザ端末（コンピュータ７n ）において、圧縮に強い電子透かし情報ＷＭ（Ｒ）のみが検出された際に、これを圧縮の形跡があるものとして本当にコピーを禁止いて良いか否を表すフラグである。
【００２０】
また使用情報ＩＤ(Usage ID)ＤＢの第１のビットＢ１０は、電子透かし情報付きオーディオ信号Ｓ３１の当該使用情報ＩＤ(Usage ID)ＤＢが付加されているコンテンツ内にコピー可である部分とコピー不可である部分とが混在していることを表すフラグである。
【００２１】
また使用情報ＩＤ(Usage ID)ＤＢの第２のビットＢ１１は、電子透かし情報付きオーディオ信号Ｓ３１の当該使用情報ＩＤ(Usage ID)ＤＢが付加されているコンテンツ内にコピー可である部分とコピー不可である部分とが混在している場合に、そのコピー可である部分又はコピー不可である部分を表すフラグである。
【００２２】
従って、図４に示すように、例えばコンテンツＣＯＮＴ（オーディオ信号）にコピー可である部分ＣＰＯＫ１、ＣＰＯＫ２と、コピー不可である部分ＣＰＮＧ１、ＣＰＮＧ２、ＣＰＮＧ３とが混在している場合には、使用情報ＩＤ(Usage ID)ＤＢの第１のビットＢ１０（混在フラグ）は、当該コンテンツ全てに亘つてコピー可、不可の混在を表すようになされており、また、使用情報ＩＤ(Usage ID)ＤＢの第２のビットＢ１１（コピー可又は不可を表すフラグ）は、コピー可である部分ＣＰＯＫ１、ＣＰＯＫ２においてコピー可を表す「１」が割当てられ、コピー不可である部分ＣＰＮＧ１、ＣＰＮＧ２、ＣＰＮＧ３においてコピー不可を表す「０」が割当てられている。
【００２３】
従って、ユーザが使用するコンピュータ７1 では、これらのフラグを検出することにより、１つのコンテンツの内部においてコピーを許可する部分とコピーを禁止する部分とに分けた詳細なコピー制御を行うことができる。
【００２４】
図１において、コンパクトディスク３３に記録された電子透かし情報付きオーディオ信号Ｓ３１は、第１に、ユーザが使用するコンピュータ７1 のコンパクトディスク再生装置（図示せず）により直接再生される。この場合、電子透かし情報付きオーディオ信号Ｓ３１はＭＰ３(MPEG Layer3) 等の圧縮処理を受けないことにより、コンピュータ７1 で再生される電子透かし情報付きオーディオ信号Ｓ３１には圧縮に強い電子透かし情報ＷＭ（Ｒ）及び圧縮に弱い電子透かし情報ＷＭ（Ｆ）の両方が残っていることになる。
【００２５】
これに対して、コンパクトディスク３３に記録された電子透かし情報付きオーディオ信号Ｓ３１は、第２に、ウェブサイト２においてＣＤプレーヤ４により再生され、ＭＰＥＧ３エンコーダ５により圧縮される。当該圧縮されてなるＭＰ３ファイルＳ５は、ウェブサイト２のコンピュータ６からネットワーク１を介して不特定多数のコンピュータ７n （例えば７1 ）に配信される。このようにネットワーク１を介して配信された電子透かし情報付きオーディオ信号Ｓ３１（ＭＰ３ファイルＳ５）は、ＭＰ３による圧縮処理が加えられていることにより、ユーザのコンピュータ７1 に入力されるＭＰ３ファイルＳ５にはオーディオ信号に埋め込まれている電子透かし情報として圧縮に強い電子透かし情報ＷＭ（Ｒ）のみが残っていることになる。
【００２６】
従って、図５に示すように、ユーザ側のコンピュータ７1 は、圧縮に強い電子透かし情報ＷＭ（Ｒ）及び圧縮に弱い電子透かし情報ＷＭ（Ｆ）の検出状態に応じて、電子透かし情報付きオーディオ信号Ｓ３１のコピー可又は不可を制御することができる。
【００２７】
すなわち、コンピュータ７1 のスクリーン処理部１０１は、入力された電子透かし情報付きオーディオ信号Ｓ３１（ネットワーク１を介して配信された場合又はコンパクトディスクから直接再生された場合のいずれか）をスクリーン処理部１０１に入力する。
【００２８】
スクリーン処理部１０１において、第１の電子透かし情報検出部１００Ｒは、電子透かし情報付きオーディオ信号Ｓ３１の圧縮に強い電子透かし情報ＷＭ（Ｒ）に割当てられている周波数領域から圧縮に強い電子透かし情報ＷＭ（Ｒ）を検出すると共に、第２の電子透かし情報検出部１００Ｆは、圧縮に弱い電子透かし情報ＷＭ（Ｆ）に割当てられている周波数領域から圧縮に弱い電子透かし情報ＷＭ（Ｆ）を検出する。
【００２９】
すなわち、第１の電子透かし情報検出部１００Ｒは、図６に示すように、ＭＰ３デコード処理部７５においてＭＰ３ファイルＳ５をＭＰ３伸長することにより電子透かし情報付きオーディオ信号Ｓ７５を生成し、これをＦＦＴ処理部７０及び可変フィルタ処理部７１に出力する。
【００３０】
ＦＦＴ処理部７０は、電子透かし情報付きオーディオ信号Ｓ７５を時間領域から周波数領域に変換して周波数スペクトラムＳ７０を生成し、周波数スペクトラムＳ７０を可変フィルタ処理部７１に出力する。可変フィルタ処理部７１は、周波数スペクトラムＳ７０に応じたフィルタ特性で、電子透かし情報付きオーディオ信号Ｓ７５に含まれる電子透かし情報信号Ｓ７１を抽出し、抽出された電子透かし情報信号Ｓ７１を乗算処理部７２に出力する。
【００３１】
乗算処理部７２は、電子透かし情報信号Ｓ７１にＰＮ系列符号Ｓ５７を乗じることにより、ＰＮ系列符号が除去された元の電子透かし情報信号Ｓ７２を生成する。乗算処理部７２は、電子透かし情報信号Ｓ７２を電子透かし（ＷＭ）情報検出処理部７６に出力する。記憶部７３は、電子透かし情報埋込装置３１が埋込を行った圧縮に強い電子透かし情報信号ＷＭ（Ｒ）の情報量である基準値を記憶している。
【００３２】
電子透かし情報検出処理部７６は、抽出された電子透かし情報信号Ｓ７１を所定時間積算することにより得られる検出量と、記憶部７３に記憶されている情報量とに基づいて、電子透かし情報の残存率を求める。そして、電子透かし情報検出処理部７６は、当該残存率に基づいて、圧縮に強い電子透かし情報ＷＭ（Ｒ）が残存しているか否かを判断し当該判断結果を検出信号Ｓ４６として条件判断部１０２（図１）に送出する。
【００３３】
因みに、圧縮に弱い電子透かし情報ＷＭ（Ｆ）を検出するようになされた電子透かし情報検出部１００Ｆも図６について上述した電子透かし情報検出部１００ＲからＭＰ３デコード処理部７５を除いた構成を示し、電子透かし情報検出部１００Ｒから出力されるＭＰ３デコードされた結果（電子透かし情報付きオーディオ信号Ｓ７５）について、電子透かし情報の検出を行う。
【００３４】
条件判断部１０２は、これら圧縮に強い電子透かし情報ＷＭ（Ｒ）及び圧縮に弱い電子透かし情報ＷＭ（Ｆ）の検出結果に基づいて、このとき入力された電子透かし情報付きオーディオ信号Ｓ３１が圧縮系（すなわちネットワーク１）を介して配信されたものであるか、又はコンパクトディスクから直接再生されたものであるかを判断する。
【００３５】
そして、図５に示したように、圧縮に強い電子透かし情報ＷＭ（Ｒ）のみが電子透かし情報付きオーディオ信号Ｓ３１に残っている場合には、電子透かし情報付きオーディオ信号Ｓ３１がネットワーク１を介して配信されたもの、すなわち著作権者の意図に反して配信された可能性があることを表しており、このとき条件判断部１０２はゲート部１０４に対してコピー禁止信号を供給することにより、電子透かし情報付きオーディオ信号Ｓ３１のＬＣＭ(Licensed Compliant Module) １０３への送出を停止することにより、当該オーディオ信号の記録媒体（メモリカードＭＣ等）へのコピーを禁止する。
【００３６】
これに対して、電子透かし情報の検出結果として、圧縮に強い電子透かし情報ＷＭ（Ｒ）及び圧縮に弱い電子透かし情報ＷＭ（Ｆ）の両方が検出された場合、このことは、電子透かし情報付きオーディオ信号Ｓ３１が圧縮系（ネットワーク１）を介していないこと、すなわち正規に購入されたコンパクトディスクから再生されたものであることを表しており、このとき条件判断部１０２はゲート部１０４に対してコピー許可信号を供給することにより、電子透かし情報付きオーディオ信号Ｓ３１のＬＣＭ１０３への送出を実行することにより、当該オーディオ信号の記録媒体（メモリカードＭＣ等）への記録を許可する。
【００３７】
因みに、圧縮に強い電子透かし情報ＷＭ（Ｒ）及び圧縮に弱い電子透かし情報ＷＭ（Ｆ）の両方が検出されない場合、このことはオーディオ信号に圧縮に強い電子透かし情報ＷＭ（Ｒ）及び圧縮に弱い電子透かし情報ＷＭ（Ｆ）のいずれもが記録されていないことを表しており、このとき条件判断部１０２は電子透かし情報付きオーディオ信号Ｓ３１のコピーを許可する。
【００３８】
ＬＣＭ１０３は、電子透かし情報付きオーディオ信号Ｓ３１を所定の圧縮方法で圧縮すると共に、暗号化処理を施してメモリカードＭＣに記録する。
【００３９】
ここで、条件判断部１０２は、圧縮に強い電子透かし情報ＷＭ（Ｒ）及び圧縮に弱い電子透かし情報ＷＭ（Ｆ）に基づいて判断されるコピー制御に加えて、図３について上述した電子透かし情報のコピー制御情報（ＣＣＩ）ＤＡ及び使用情報ＩＤ(Usage ID)ＤＢに基づくコピー制御を行うようになされている。
【００４０】
すなわち、条件判断部１０２は、電子透かし情報のコピー制御情報（ＣＣＩ）ＤＡに基づき、当該電子透かし情報が埋め込まれている電子透かし情報付きオーディオ信号Ｓ３１のコピー制御を図３について上述した規則に従って行うようになされている。
【００４１】
この場合、条件判断部１０２は、コピー制御情報（ＣＣＩ）ＤＡの第１のビットＢ０が「１」でありかつ第２のビットＢ１が「０」であること、すなわちコピー１回のみ可であることを検出すると、これに応じてゲート部１０４にコピー許可信号を供給することにより、電子透かし情報付きオーディオ信号Ｓ３１を記録媒体（メモリカードＭＣ）に記録する。このとき、条件判断部１０２は、ゲート部１０４により、電子透かし情報付きオーディオ信号Ｓ３１のコピー制御情報（ＣＣＩ）ＤＡの第１のビットＢ０を「１」から「０」に書き換えると共に第２のビットＢ１を「０」から「１」に書き換える。これにより、コピー制御情報（ＣＣＩ）ＤＡの第１及び第２のビットＢ０及びＢ１による「コピー１回のみ可」を表す情報は、「これ以上コピー不可」を表す情報に書き換えられてオーディオ信号と共にメモリカードＭＣに記録される。
【００４２】
この場合、コンピュータ７1 の条件判断部１０２は、コピー制御情報（ＣＣＩ）ＤＡの第１のビットＢ０及び第２のビットＢ１の組み合わせが「１」、「０」、すなわち「１回のみコピー可」であることを検出すると、それ以降そのコンテンツのコピー制御情報（ＣＣＩ）ＤＡの第１のビットＢ０及び第２のビットＢ１をすべて「０」、「１」、すなわち「これ以上コピー不可」を表すように書き換える。このように、一旦「１回のみコピー可」を表す情報を検出すると、当該コンテンツ内において当該検出以降すべて「これ以上コピー不可」を表すように書き換えることにより、条件判断部１０２は、コンテンツ内に１５秒ごとに埋め込まれている各コピー制御情報（ＣＣＩ）ＤＡの第１のビットＢ０及び第２のビットＢ１によって表されるコピー制御に関する情報（図３）をそれぞれ判別して書き換えるといった煩雑な処理を回避している。
【００４３】
このように、条件判断部１０２は、一旦「１回のみコピー可」を表すコピー制御情報（ＣＣＩ）ＤＡを検出すると、当該コンテンツ内において当該検出以降すべて「これ以上コピー不可」を表すようにコピー制御情報（ＣＣＩ）ＤＡの第１のビットＢ０及び第２のビットＢ１を書き換えることにより、図４について上述したようにコンテンツ内においてコピーし得る領域ＣＰＯＫ１、ＣＰＯＫ２とコピー禁止領域ＣＰＮＧ１、ＣＰＮＧ２、ＣＰＮＧ３が混在しても、これらの領域はすべてコピー制御情報（ＣＣＩ）ＤＡにおいてコピー禁止として表されることになる。
【００４４】
この場合、図７に示すように、１つのコンテンツ内にコピー制御情報（ＣＣＩ）ＤＡによって「１回のみコピー可」として表されている領域ＡＲ２１と、使用情報ＩＤ(Usage ID)ＤＢの第２のビットＢ１１（可不可フラグ）によって「何度でもコピー可」として表されている領域ＡＲ３１とが混在していると、コピー制御情報（ＣＣＩ）ＤＡによってはいずれの領域もコピー禁止（これ以上コピー不可）として表されることになる。従って、この実施の形態の場合、電子透かし情報の使用情報ＩＤ(Usage ID)ＤＢの第１のビットＢ１０（混在フラグ）によってコピー制御情報（ＣＣＩ）ＤＡに係わらずコピー可である領域が混在することを表すと共に、使用情報ＩＤ(Usage ID)ＤＢの第２のビットＢ１１（可不可フラグ）によってその位置を表すようになされている。
【００４５】
これにより、コピー制御情報（ＣＣＩ）ＤＡがすべて「これ以上コピー不可」を表すように書き換えられても、電子透かし情報では使用情報ＩＤ(Usage ID)ＤＢの第１のビットＢ１０によって混在を表し、さらに使用情報ＩＤ(Usage ID)ＤＢの第２のビットＢ１１によってコピー可である位置を特定することができるようになされている。
【００４６】
このようにコピー制御情報（ＣＣＩ）ＤＡが「１回のみコピー可」を表す情報から「これ以上コピー不可」を表す情報に書き換えられた電子透かし情報付きオーディオ信号を記録媒体（メモリカードＭＣ等）に記録する場合の、スクリーン処理を説明する。
【００４７】
図８において、コンピュータ７1 のスクリーン処理部１０１は、ステップＳＰ１０からコピー制御処理手順に入ると、ステップＳＰ１１において電子透かし情報(Watermark) が入力されたオーディオ信号に埋め込まれているか否かを判断する。ここで否定結果が得られると、このことは電子透かし情報が埋め込まれていないオーディオ信号が入力されていることを表しており、スクリーン処理部１０１は続くステップＳＰ１２においてオーディオ信号をメモリカードＭＣにコピーする。
【００４８】
これに対してステップＳＰ１１において肯定結果が得られると、このことはこのとき入力されているオーディオ信号に電子透かし情報が埋め込まれていることを表しており、このときスクリーン処理部１０１はステップＳＰ１３に移って、電子透かし情報の使用情報ＩＤ(Usage ID)ＤＢの混在フラグ（第２のビットＢ１０）が「１」であるか否かを判断する。
【００４９】
ここで否定結果が得られると、このことは使用情報ＩＤ(Usage ID)ＤＢの混在フラグが「混在していない」状態であることを表しており、このときスクリーン処理部１０１はステップＳＰ１４に移って、電子透かし情報のコピー制御情報（ＣＣＩ）ＤＡの第１のビットＢ０及び第２のビットＢ１に基づいてコピー可であるか否かを判断する。
【００５０】
このステップＳＰ１４において否定結果が得られると、このことはこのとき入力されているオーディオ信号がコンテンツ全体に亘つてコピー禁止状態であることを表しており、このときスクリーン処理部１０１はステップＳＰ１７においてコピー処理を終了する。
【００５１】
これに対してステップＳＰ１４において肯定結果が得られると、このことはこのとき入力されているオーディオ信号がコピー可であることを表しており、スクリーン処理部１０１はステップＳＰ１６に移って、オーディオ信号をメモリカードＭＣにコピーする処理を続けると共に、以降電子透かし情報を定期的にチェックする。
【００５２】
また上述のステップＳＰ１３において肯定結果が得られると、このことは電子透かし情報の使用情報ＩＤ(Usage ID)ＤＢの混在フラグ（第１のビットＢ１０）が混在、すなわち１つのコンテンツの中にコピー可である領域とコピー不可である領域が混在していることを表しており、このときスクリーン処理部１０１はステップＳＰ１５に移って、使用情報ＩＤ(Usage ID)ＤＢの第２のビットＢ１１（可不可フラグ）がコピー可を表しているか否かを判断する。
【００５３】
ここで肯定結果が得られると、このことはこのとき入力されているオーディオ信号にコピー可である領域とコピー不可である領域が混在し、かつ当該使用情報ＩＤ(Usage ID)ＤＢによって表される領域が使用情報ＩＤ(Usage ID)ＤＢの可不可フラグによってコピー可であると指定されている領域であることを表しており、このときスクリーン処理部１０１はステップＳＰ１８に移って、当該可不可フラグによってコピー可である領域のみをメモリカードＭＣにコピーする。
【００５４】
これに対してステップＳＰ１５において否定結果が得られると、このことはこのとき入力されているオーディオ信号にコピー可である領域とコピー不可である領域が混在し、かつ当該使用情報ＩＤ(Usage ID)ＤＢによって表される領域がコピー不可であることを表しており、このときスクリーン処理部１０１はステップＳＰ１９に移って、コピー不可の領域についてコピーを制限する。
【００５５】
かくしてスクリーン処理部１０１は、図８に示す処理を繰り返すことにより、入力されるオーディオ信号の１つのコンテンツ内において、使用情報ＩＤ(Usage ID)ＤＢの混在フラグ及び可不可フラグに応じた部分的なコピー制御を行うことができる。
【００５６】
以上の構成において、ユーザが使用するコンピュータ７1 のスクリーン処理部１０１は、入力されるオーディオ信号に電子透かし情報が付加されている場合、当該電子透かし情報のコピー制御情報（ＣＣＩ）ＤＡによってコピー可であるか不可であるかを判断する。このとき、コピー制御情報（ＣＣＩ）ＤＡが「１回のみコピー可」であるとすると、スクリーン処理部１０１は、オーディオ信号を記録媒体（メモリカードＭＣ）にコピーすることと引換えにコピー制御情報（ＣＣＩ）ＤＡを「これ以上コピー不可」に書き換える。この書き換え処理では、スクリーン処理は、各コピー制御情報（ＣＣＩ）ＤＡ及び使用情報ＩＤ(Usage ID)ＤＢの状態に係わらず、コピー制御情報（ＣＣＩ）ＤＡを書き換える。
【００５７】
これにより、コピー制御情報（ＣＣＩ）ＤＡはこのとき処理しているオーディオ信号のコンテンツについて、すべて「これ以上コピー不可」に書き換えられるが、使用情報ＩＤ(Usage ID)ＤＢの可不可フラグによって、その部分的なコピー可の領域が表され、さらに部分的なコピー可である領域が存在することが使用情報ＩＤ(Usage ID)ＤＢの混在フラグによって表される。
【００５８】
従って、スクリーン処理部１０１は入力されるオーディオ信号の電子透かし情報に、混在フラグが存在する場合には、コピー制御情報（ＣＣＩ）ＤＡが表す情報に係わらず、使用情報ＩＤ(Usage ID)ＤＢの可不可フラグを探すことにより、コピー可の領域を判別して、この領域のみをメモリカードＭＣにコピーすることができる。
【００５９】
このように、コンテンツ内に部分的にコピーし得る領域を設けておけば、ユーザはコンテンツの一部をコピーすることができ、コンテンツの著作権者はコンテンツの一部をプロモーションとしてユーザに提示することができる。
【００６０】
以上の構成によれば、使用情報ＩＤ(Usage ID)ＤＢの可不可フラグにより、コンテンツにコピー可である領域と不可である領域とを設け、使用情報ＩＤ(Usage ID)ＤＢの混在フラグにより当該混在状態を表すようにしたことにより、ユーザが使用するコンピュータ７1 では、混在フラグによりコピー可である領域及び不可である領域がコンテンツ内に混在していることを把握し得、これによりコンテンツの部分的なコピーを可能とすることができる。
【００６１】
なお上述の実施の形態においては、コンテンツ内のコピー可である領域及びコピー不可である領域を使用情報ＩＤ(Usage ID)ＤＢの可不可フラグ（第２のビットＢ１１）によって表すようにした場合について述べたが、本発明はこれに限らず、例えば図９に示すように、コピー制御情報（ＣＣＩ）ＤＡの「１回のみコピー可」に対する書き換えを行わずに上書きすることにより、元のコピー制御情報（ＣＣＩ）ＤＡ（第１のビットＢ０及び第２のビットＢ１）を残しておき、これらのビットと使用情報ＩＤ(Usage ID)ＤＢの混在フラグによりコピー可である領域及びコピー不可である領域を判別するようにしても良い。この場合、コピー制御情報（ＣＣＩ）ＤＡに「これ以上コピー不可」であることを表すビットＢ３を第１のビットＢ０及び第２のビットＢ１とは別に上書きすることにより、元のコピー制御情報（ＣＣＩ）ＤＡ（第１のビットＢ０及び第２のビットＢ１）を残しても、「これ以上コピー不可」であることを表すことができる。
【００６２】
また上述の実施の形態においては、コピー制御情報（ＣＣＩ）ＤＡ及び使用情報ＩＤ(Usage ID)ＤＢを電子透かし情報としてオーディオ信号を埋め込む場合について述べたが、本発明はこれに限らず、例えばオーディオ信号を記録したコンパクトディスクのアウトオブバンド情報（オーディオ信号外の領域に書き込まれる付加情報）として書き込んでおくようにしても良い。この場合、図１０に示すように、コンパクスディスクの書き込み装置側では、付加情報書込み部３２において付加情報Ｓ３２をコンパスクディスクのアウトオブバンド領域に書き込み、これをユーザが使用するコンピュータ７1 の付加情報検出部１３２において検出し、条件判断部１０２に入力するようにすれば良い。
【００６３】
また上述の実施の形態においては、コンテンツとしてオーディオ信号をコピーする場合について述べたが、本発明はこれに限らず、例えば映像信号等、他の種々の情報をコピーする場合に広く適用することができる。
【００６４】
【発明の効果】
上述のように本発明によれば、所定のコンテンツを伝送する際に、コンテンツ内にコンテンツのコピーを許可する部分とコピーを禁止する部分とが混在する混在情報をコンテンツと共に伝送するようにしたことにより、当該混在情報に基づいたコンテンツのコピー制御を、コンテンツを受け取った記録装置側で行うことができる。
【図面の簡単な説明】
【図１】本発明による情報伝送装置を示すブロック図である。
【図２】電子透かし情報埋込装置の構成を示すブロック図である。
【図３】電子透かし情報のデータ構造を示す略線図である。
【図４】コンテンツ内でのコピー許可領域及びコピー禁止領域の混在状態を示す略線図である。
【図５】圧縮履歴によるコピー制御方法を示す略線図である。
【図６】スクリーン処理部の電子透かし情報検出部の構成を示すブロック図である。
【図７】使用情報ＩＤ(Usage ID)ＤＢによるコピー制御状態を示す略線図である。
【図８】スクリーン処理手順を示すフローチャートである。
【図９】他の実施の形成によるコピー制御状態を示す略線図である。
【図１０】付加情報によるコピー制御方法を実現する構成を示すブロック図である。
【符号の説明】
１……ネットワーク、７n ……コンピュータ、３１……電子透かし情報埋込部、３２……付加情報書き込み部、１００Ｒ、１００Ｆ……電子透かし情報検出部、１０１……スクリーン処理部、１０２……条件判断部、１０３……ＬＣＭ。
【図１】
0004000547.tif 000002
【図２】
0004000547.tif 000003
【図３】
0004000547.tif 000004
【図４】
0004000547.tif 000005
【図５】
0004000547.tif 000006
【図６】
0004000547.tif 000007
【図７】
0004000547.tif 000008
【図８】
0004000547.tif 000009
【図９】
0004000547.tif 000010
【図１０】
0004000547.tif 000011